(57)【特許請求の範囲】
【請求項１】
画像データをプリント出力装置へ転送し、該プリント出力装置でのプリントに必要な書式を設定して前記画像データと共に転送する画像データ出力装置であって、
複数の出力すべき画像データを記憶する画像データ記憶手段と、
前記画像データ記憶手段に記憶された画像データから、所望の画像データを指定する指定手段と、
前記指定手段で指定された画像データ毎のプリントサイズを予め定められた定型サイズから選択、又は前記プリント出力装置における実寸プリントサイズを入力するプリントサイズ設定手段と、
前記指定手段で指定された画像データ毎のプリント枚数を入力又は選択するプリント枚数設定手段と、
前記指定手段で指定された画像データ及びそれぞれの画像データに該当するプリントサイズ及びプリント枚数を前記プリント出力装置へ転送する転送手段と、を有し、
前記プリントサイズ設定手段で複数種類のプリントサイズでプリントするように設定された場合には、該プリントサイズ、前記プリント枚数設定手段で入力又は選択されたプリント枚数、及び前記プリント出力装置に装填される感光材料のサイズに基づいて自動的にレイアウトする画像データ出力装置。
【請求項２】
前記プリント出力装置でのプリント出力時の、画像周囲の白縁の有無を選択可能であり、白縁有りが選択された場合には白縁領域を示す指標を画像と共にプリントすると共に、該指標のプリントの際には白縁領域に画像データを特定する文字又は記号を併せてプリントするように設定することを特徴とする請求項１記載の画像データ出力装置。
【請求項３】
前記白縁領域と、前記プリント出力装置における感光材料の周囲に生じる非プリント領域と、を重複させるようにレイアウトを自動設定することを特徴とする請求項２記載の画像データ出力装置。
【請求項４】
前記プリントサイズ設定手段で入力又は選択されたプリントサイズが、画像データのサイズと一致しない場合に、画像データを拡大、縮小又はトリミングして、自動的に入力又は選択されたプリントサイズにサイズ変更することを特徴とする請求項１乃至請求項３のいずれか１項記載の画像データ出力装置。
【請求項５】
前記プリントサイズ設定手段でプリントサイズが入力又は選択されない場合、或いは前回のプリントサイズが適合しない場合に、画像データを原稿画像から読み取ったときのサイズに最も近似する定型サイズを自動的に選択することを特徴とする請求項１乃至請求項４のいずれか１項記載の画像データ出力装置。
【請求項６】
前記画像データは、所定の感光材料へプリントしたときの色情報に変換されて記憶されており、該色情報は、面露光系で原稿画像を感光材料へ焼付けたときのプリント画像に影響を及ぼす、少なくとも画像入力装置特性、原稿種、感光材料種、露光量特性を含むプリント仕上がり特性のそれぞれの組み合わせで決定されるパラメータに基づいて、前記画像データを補正することにより得ることを特徴とする請求項１乃至請求項５のいずれか１項記載の画像データ出力装置。
【請求項７】
前記画像データがカラー画像の場合には、指定によってモノクロ画像データに変換すると共に、モノクロ画像データに変換する際には、該カラー画像データは、複数設定されたグレーバランス、階調の中から、選択されたグレーバランス及び階調に基づいてモノクロ画像データに変換することを特徴とする請求項１乃至請求項６のいずれか１項記載の画像データ出力装置。
【請求項８】
予め記憶された出力すべき画像データを指定して、プリント出力装置へ転送する際に、該プリント出力装置でのプリントに必要な書式を設定し、前記画像データと共に転送する画像データの出力方法であって、
前記出力すべき画像データが複数種選択可能であり、かつ同一画像データに対して該プリントサイズを複数種入力又は選択可能とすると共に、選択された画像データ毎のプリント枚数を入力又は選択可能とし、複数種類のプリントサイズが入力又は選択された場合には、該プリントサイズ、前記入力又は選択されたプリント枚数、及び前記プリント出力装置に装填される感光材料のサイズに基づいて自動的にレイアウトすることを特徴とする画像データの出力方法。
【請求項９】
前記プリント出力装置でのプリント出力時の、画像周囲の白縁の有無を選択可能であり、白縁有りが選択された場合には白縁領域を示す指標を画像と共にプリントすると共に、該指標のプリントの際には白縁領域に画像データを特定する文字又は記号を併せてプリントするように設定することを特徴とする請求項８記載の画像データの出力方法。
【請求項１０】
前記白縁領域と、前記プリント出力装置における感光材料の周囲に生じる非プリント領域と、を重複させるようにレイアウトを自動設定することを特徴とする請求項９記載の画像データの出力方法。
【発明の詳細な説明】
【０００１】
【発明の属する技術分野】
本発明は、予め記憶された画像データを指定して、プリント出力装置へ転送する際に、該プリント出力装置でのプリントに必要な書式を設定し、前記画像データと共に転送する画像データの出力方法及び画像データ出力装置に関する。
【０００２】
【従来の技術】
従来、プリント出力装置によってカラープリントを行う場合、コンピュータ本体等のメモリに記憶された画像データを読み出し、モニタ上で画像処理した後、プリントサイズ及びプリント枚数等の書式を設定し、プリント出力装置へ転送する。
【０００３】
出力装置では、このデータ（画像データ及び書式データ）に基づいて作動し、比較的大サイズ（Ａ４、Ｂ４等のサイズ）の用紙（例えば感光材料）へ画像を記録する。
【０００４】
このように、画像データを自由に画像処理（例えば、サイズ変更、文字の付加等）できるため、従来のネガフィルムを透過して感光材料へ焼付ける面露光系に比べて汎用性が高く、該面露光系に代えて広く利用されるようになりつつある。
【０００５】
【発明が解決しようとする課題】
しかしながら、作成された画像データ或いは予め記憶された画像データをプリントして出力する場合、プリントサイズを指定すると、その画像サイズとは無関係にプリント領域が設定されるため、出力装置側の用紙に空白部分があったり、画像の一部がプリントされないといった不具合が生じていた。
【０００６】
また、出力装置には、予め比較的大サイズの用紙が装填可能であり、手差し機能を除けば、転送されてくる画像サイズとは無関係に指定された用紙に画像が記録されるため、例えば複数枚のプリントを指定した場合、画像サイズが極めて小さくても、用紙１枚に対して１画像しかプリントされないといった不具合が生じていた。
【０００７】
さらに、複数種のサイズでプリントしたい場合には、１サイズのプリントが終了した後に再度プリントサイズを変更してプリントを指示しなければならなかった。
【０００８】
本発明は上記事実を考慮し、指定されるプリントサイズ及び枚数を連続して複数種指定することができ、出力装置側の感光材料のサイズに基づいて、感光材料上のプリントレイアウトを自動的に行い、感光材料を有効利用することができる画像データの出力方法及び画像データ出力装置を得ることを目的とする。
【０００９】
【課題を解決するための手段】
請求項１記載の発明は、画像データをプリント出力装置へ転送し、該プリント出力装置でのプリントに必要な書式を設定して前記画像データと共に転送する画像データ出力装置であって、複数の出力すべき画像データを記憶する画像データ記憶手段と、前記画像データ記憶手段に記憶された画像データから、所望の画像データを指定する指定手段と、前記指定手段で指定された画像データ毎のプリントサイズを予め定められた定型サイズから選択、又は前記プリント出力装置における実寸プリントサイズを入力するプリントサイズ設定手段と、前記指定手段で指定された画像データ毎のプリント枚数を入力又は選択するプリント枚数設定手段と、前記指定手段で指定された画像データ及びそれぞれの画像データに該当するプリントサイズ及びプリント枚数を前記プリント出力装置へ転送する転送手段と、を有し、前記プリントサイズ設定手段で複数種類のプリントサイズでプリントするように設定された場合には、該プリントサイズ、前記プリント枚数設定手段で入力又は選択されたプリント枚数、及び前記プリント出力装置に装填される感光材料のサイズに基づいて自動的にレイアウトすることを特徴としている。
【００１０】
請求項１に記載の発明によれば、指定手段により所望の画像データを複数種指定することが可能であり、プリントサイズ設定手段では、それぞれ指定された画像データ毎に、さらに複数種のプリントサイズを設定できる。このように設定された複数種の画像データ毎の複数種のプリントサイズは、プリント枚数設定手段で設定されたプリント枚数と共に転送手段によってプリント出力装置に転送され、プリント出力装置では、指示された画像データに基づいて、設定された枚数、画像サイズ分連続して出力される。これにより、処理の効率化を図ることができる。また、プリント出力装置に装填される感光材料のサイズは、通常比較的大サイズであるため、これを設定された画像サイズに拘らずプリントしていくと、余白部分が殆どとなったり、画像の一部がプリントされない場合がある。そこで、プリント出力装置に装填される用紙サイズに基づいて、自動的にレイアウトして、このレイアイウト情報を付加して、前記プリント出力装置へ転送することにより、用紙を無駄なく、有効に使用することができる。
【００１１】
請求項２に記載の発明は、前記プリント出力装置でのプリント出力時の、画像周囲の白縁の有無を選択可能であり、白縁有りが選択された場合には白縁領域を示す指標を画像と共にプリントすると共に、該指標のプリントの際には白縁領域に画像データを特定する文字又は記号を併せてプリントするように設定することを特徴としている。
【００１２】
請求項２に記載の発明によれば、プリントされた画像は、様々な感光材料にプリントされるため、白縁がある場合にどこまでが白縁であるか不明となる。そこで、白縁領域を示す指標を画像プリント時に付加し、さらに白縁領域内に文字又は記号で画像データを特定できるようにしている。これにより、画像を切り抜く場合に指標を目標にして切断することにより、所望のサイズの画像（白縁有り）を得ることができる。また、この白縁有りの画像の場合には、画像データを特定する文字等をプリントしておくため、仕分けの際に都合がよい。なお、白縁無しの画像の仕分けを行う手段として、画像の下辺（天地方向に地側）のみに白縁部分を設け、画像との境目を容易に切断可能なきりとり線等を形成しておき、仕分け完了時にこの白縁部分を容易に取り除くことができる。
【００１３】
請求項３に記載の発明は、前記白縁領域と、前記プリント出力装置における感光材料の周囲に生じる非プリント領域と、を重複させるようにレイアウトを自動設定することを特徴としている。
【００１４】
請求項３に記載の発明によれば、プリント出力装置に使用される感光材料は、その全域が画像の記録可能な領域ではなく、周囲に非画像記録領域が存在し、所謂、無駄な部分である。しかし、前記白縁領域を必要とする画像にとっては、白縁と同等の役目を持つため、この白縁領域と、感光材料の周囲に生じる非プリント領域と、を重複させるようにレイアウトを自動設定することにより、無駄な部分を有効利用することができる。
【００１５】
請求項４に記載の発明は、前記プリントサイズ設定手段で入力又は選択されたプリントサイズが、画像データのサイズと一致しない場合に、画像データを拡大、縮小又はトリミングして、自動的に入力又は選択されたプリントサイズにサイズ変更することを特徴としている。
【００１６】
請求項４に記載の発明によれば、例えば、縦長の写真原稿と横長写真原稿を全て横長として画像データとして入力し、横長のサイズでプリントを指定すると、縦長の写真原稿から取り込んだ画像のプリント後の左右に空白ができ、かつ上下の一部が欠損（プリントされない）することになる。そこで、このように設定されたプリントサイズが画像データのサイズと一致しない場合には、自動的に拡大、縮小、トリミングを行って、少なくとも空白部分を無くすようにした。これにより、仕上がり画像の見栄えを向上することができる。
【００１７】
請求項５に記載の発明は、前記プリントサイズ設定手段でプリントサイズが入力又は選択されない場合、或いは前回のプリントサイズが適合しない場合に、画像データを原稿画像から読み取ったときのサイズに最も近似する定型サイズを自動的に選択することを特徴としている。
【００１８】
請求項５に記載の発明によれば、例えば、プリントサイズが入力又は選択されない場合には、画像データを原稿画像から読み取ったときのサイズに最も近似する定型サイズを自動的に選択することにより、設定のし直し等の手間を省くことができる。
【００１９】
請求項６に記載の発明は、前記画像データは、所定の感光材料へプリントしたときの色情報に変換されて記憶されており、該色情報は、面露光系で原稿画像を感光材料へ焼付けたときのプリント画像に影響を及ぼす、少なくとも画像入力装置特性、原稿種、感光材料種、露光量特性を含むプリント仕上がり特性のそれぞれの組み合わせで決定されるパラメータに基づいて、前記画像データを補正することにより得ることを特徴としている。
【００２０】
請求項６に記載の発明によれば、指定された画像データが、プリント仕上がり特性のそれぞれの組み合わせで決定されるパラメータに基づいて補正された色情報であるため、面露光系でのプリントとほぼ同等の仕上がり状態を得ることができる。
【００２１】
請求項７に記載の発明は、前記画像データがカラー画像の場合には、指定によってモノクロ画像データに変換すると共に、モノクロ画像データに変換する際には、該カラー画像データは、複数設定されたグレーバランス、階調の中から、選択されたグレーバランス及び階調に基づいてモノクロ画像データに変換することを特徴としている。
【００２２】
請求項７に記載の発明によれば、カラーの画像データをモノクロ画像としてプリントすることが可能であり、この場合、カラー画像データは、複数設定されたグレーバランス、階調の中から１つを選択し、選択されたグレーバランス及び階調に基づいてモノクロ画像データに変換される。これにより、カラー画像をそのままモノクロとした場合の階調の不自然さや、グレーバランスの偏り等を防止でき、カラー画像とほぼ同一の階調でプリントすることができる。
【００２３】
請求項８に記載の発明は、予め記憶された出力すべき画像データを指定して、プリント出力装置へ転送する際に、該プリント出力装置でのプリントに必要な書式を設定し、前記画像データと共に転送する画像データの出力方法であって、前記出力すべき画像データが複数種選択可能であり、かつ同一画像データに対して該プリントサイズを複数種入力又は選択可能とすると共に、選択された画像データ毎のプリント枚数を入力又は選択可能とし、複数種類のプリントサイズが入力又は選択された場合には、該プリントサイズ、前記入力又は選択されたプリント枚数、及び前記プリント出力装置に装填される感光材料のサイズに基づいて自動的にレイアウトすることを特徴としている。
【００２４】
請求項８に記載の発明によれば、プリント出力する場合に、複数の画像データを選択し、それぞれの画像データでのプリントサイズを複数種指定（入力又は選択）できるため、１回毎の画像プリントを待たずに一括して所望の画像及びその画像のサイズが転送される。従って、処理の効率化を図ることができる。また、プリント出力装置に装填される感光材料のサイズは、通常比較的大サイズであるため、これを設定された画像サイズに拘らずプリントしていくと、余白部分が殆どとなったり、画像の一部がプリントされない場合がある。そこで、プリント出力装置に装填される用紙サイズに基づいて、自動的にレイアウトして、このレイアイウト情報を付加して、前記プリント出力装置へ転送することにより、用紙を無駄なく、有効に使用することができる。
【００２５】
請求項９に記載の発明は、前記請求項８記載の発明において、前記プリント出力装置でのプリント出力時の、画像周囲の白縁の有無を選択可能であり、白縁有りが選択された場合には白縁領域を示す指標を画像と共にプリントすると共に、該指標のプリントの際には白縁領域に画像データを特定する文字又は記号を併せてプリントするように設定することを特徴としている。
【００２６】
請求項９に記載の発明によれば、プリントされた画像は、様々な感光材料にプリントされるため、白縁がある場合にどこまでが白縁であるか不明となる。そこで、白縁領域を示す指標を画像プリント時に付加し、さらに白縁領域内に文字又は記号で画像データを特定できるようにしている。これにより、画像を切り抜く場合に指標を目標にして切断することにより、所望のサイズの画像（白縁有り）を得ることができる。また、この白縁有りの画像の場合には、画像データを特定する文字等をプリントしておくため、仕分けの際に都合がよい。
【００２７】
なお、白縁無しの画像の仕分けを行う手段として、画像の下辺（天地方向に地側）のみに白縁部分を設け、画像との境目を容易に切断可能なきりとり線等を形成しておき、仕分け完了時にこの白縁部分を容易に取り除くことができる。
【００２８】
請求項１０に記載の発明は、前記請求項９記載の発明において、前記白縁領域と、前記プリント出力装置における感光材料の周囲に生じる非プリント領域と、を重複させるようにレイアウトを自動設定することを特徴としている。
【００２９】
請求項１０に記載の発明によれば、プリント出力装置に使用される感光材料は、その全域が画像の記録可能な領域ではなく、周囲に非画像記録領域が存在し、所謂、無駄な部分である。しかし、前記白縁領域を必要とする画像にとっては、白縁と同等の役目を持つため、この白縁領域と、感光材料の周囲に生じる非プリント領域と、を重複させるようにレイアウトを自動設定することにより、無駄な部分を有効利用することができる。
【００３０】
【発明の実施の形態】
以下に図面を参照しながら本発明の実施の一形態を説明する。図１には、本実施の形態に適用した写真画像処理システム１０を示している。この写真画像処理システム１０は、装置の制御、種々の処理及び演算、各種入出力機器の制御を行うパーソナルコンピュータ（以下「パソコン」と言う）１２を備えている。パソコン１２は、演算及び各種の制御を行うＣＰＵ１４、ＣＰＵ１４の演算及び制御プログラムを記憶した図示しないＲＯＭ、作業エリアを備えたＲＡＭ１６、入出力機器の制御用プログラムや各種データ（データファイル）等を記憶するハードディスクドライブ（ＨＤＤ）１８及び入出力インターフェース２０等が図示しないデータバス及びコントロールバスによって接続されて構成されている。
【００３１】
入出力インターフェイス２０には、キーボード２２及びマウス２４等の外部操作手段が接続され、また、パソコン１２には、ＶＲＡＭ２６が設けられ、このＶＲＡＭ２６に一時記憶したデータに基づいた画像をモニタ３０に表示しながら種々の処理操作が可能となっている。
【００３２】
また、この入出力インターフェイス２０には、画像入力装置として複数台のスキャナ３２Ａ、３２Ｂ（本実施の形態では一例として２台を図示、以下総称するときにはスキャナ３２と言う）が接続され、画像出力装置として写真プリンタ３４が接続されている。パソコン１２は、スキャナ３２から１台を選択して画像データの読み込みを行うと共に、写真プリンタ３４へ画像データを出力する。
【００３３】
なお、入出力インターフェイス２０としては、ＳＣＳＩ（Small Computer System Interface ）又はＳＣＳＩ−２を用いて、スキャナ３２及び写真プリンタ３４をシリアルないしパラレルに接続しており、複数台のスキャナ３２と共に複数台の写真プリンタ３４を接続してもよい。また、この入出力インターフェイス２０には、外部ハードディスク装置等の外部記憶装置を接続してもよい。
【００３４】
スキャナ３２は、写真プリント等を反射型原稿として、この原稿画像に照射した光の反射光を受光して画像データとして出力する。また、スキャナ３２は、ネガフィルムやポジフィルム等を透過型原稿として、この原稿画像に照射した光の透過光（又は透過して反射する光）を受光して画像データとして出力する。
【００３５】
また、写真プリンタ３４としては、種々のサイズのカラー印画紙等の感光材料（以下「ペーパー」と言う）を、パソコン１２から出力された画像データに応じてデジタル露光してプリントを作成する。なお、写真プリンタ３４には、パソコン１２から出力される画像データを一次記憶するメモリを備えており、このメモリに一次記憶したデータに基づいてプリントを作成する。このような写真プリンタ３４としては、富士写真フイルム（株）製のPictrography 3000 （商品名）を用いることができる。
【００３６】
図２には、写真画像処理システム１０で主にパソコン１２内に構成される機能ブロック図を示している。スキャナ３２によって読み込まれた画像データは、画像データ変換部４０に入力される。この画像データ変換部４０は、スキャナ３２の機種毎に予め設定されているルックアップテーブル（以下「ＬＵＴ」と言う）０を記憶しており、スキャナ３２の機種に応じて選択したＬＵＴ０から変換データを読み込み、この変換データに基づいて画像データの変換を行う。これによって、スキャナ３２がＲ、Ｇ、Ｂの各色成分を一走査ライン毎に出力する機種であれば、１画像分の画像データを読み込むと、Ｒ画像フレーム、Ｇ画像フレーム及Ｂ画像フレームの面順次の画像データに変換し、何れの機種のスキャナ３２であっても、画像データを面順次に出力する。
【００３７】
この画像データ変換部４０で変換されて出力される画像データは、スキャナ３２からの読取画像として変換データメモリ４２上に保存される。この変換データメモリ４２上に保存した画像データに応じた画像をモニタ３０上に表示できるようになっている。
【００３８】
スキャナ／原稿特性補正部４４は、第１の補正手段として設けられ、画像データ変換部４０から出力される画像データ又は変換データメモリ４２上に保存されている画像データを読み込む。このスキャナ／原稿特性補正部４４には、画像データ補正用のパラメータとして予めＬＵＴ１、マトリックス係数（ matrixl１）及びＬＵＴ２が設定されている。
【００３９】
ＬＵＴ１は、スキャナ３２によって読み取って画像データを輝度リニアな信号に変換するテーブルであり、濃度の異なる複数のフィルタ（ＮＤフィルタ）をスキャナによって読み込んだ値と、フィルタ透過濃度を輝度に変換した値とを比較し、スキャナによって読み込んだ値をフィルタ透過濃度値と一致させるようにスキャナ３２毎（機種毎）と原稿種（透過原稿であるか反射原稿であるか及び透過原稿であるときには、ネガ型かポジ型か）に応じて予め設定されている。
【００４０】
マトリックス係数 Matrixl１は、スキャナの分光感度分布を補正し、StatusＭ（透過原稿）又はStatusＡ（反射原稿）での読取値に変換するための演算に用いる。このマトリックス係数 matrixl１は、スキャナの分光感度分布及び透過原稿であるフィルム（ネガ型又はポジ型）の分光分布が判っているときには、原稿であるフィルムの画像をスキャナによって読み取った輝度値とStatusＭ又はStatusＡで読み取ったときの輝度値を計算で求める。また、スキャナの分光感度分布あるいはフィルムの分光分布が判らないときには、適正条件で撮影したフィルム原稿又は適正露光により作成したチャート原稿をスキャナ又は濃度計等の測定器によって読み取って輝度値に変換し、スキャナ３２によって読み取ったときのＲ、Ｇ、Ｂの輝度値又はＹ、Ｍ、Ｃの輝度値がStatusＭ又はStatusＡで読み取ったときのＲ、Ｇ、Ｂの輝度値又はＹ、Ｍ、Ｃの輝度値に変換されるように最小自乗法等によって求められる。
【００４１】
なお、適性露光によって作成するチャート原稿としては、例えばネガフィルムに記録したチャート原稿画像を従来の写真プリントを作成するために用いられている面露光系によって、チャート原稿画像の透過光によってカラー印画紙をアナログ露光して作成した写真プリントを用いる。
【００４２】
ＬＵＴ２は、輝度信号を濃度値に変換するテーブルである。
スキャナ／原稿特性補正部４４では、ＬＵＴ１、２及びマトリックス係数 matrixl１に予め記憶しているデータを、画像データの補正用のパラメータとして読み込んで、読み込んだパラメータに基づいて画像データを補正し、透過原稿及び反射原稿の画像データを同一レベルの濃度信号の濃度データｅに変換している。
【００４３】
このスキャナ／原稿特性補正部４４から出力された画像データ（濃度データｅ）は、モニタ３０上に中間画像を表示する画像データとして濃度データメモリ４６上に保存される。
【００４４】
原稿／ペーパー特性補正部４８は、第２の補正手段として設けられ、スキャナ／原稿特性補正部４４から出力された画像データ又は濃度メモリ４６上に保存されている画像データ（何れも濃度データｅ）を読み込む。
【００４５】
原稿／ペーパー特性補正部４８は、ＬＵＴ３、マトリックス係数 matrixl２ＬＵＴ４が予め設定されている。ＬＵＴ３は、スキャナ／原稿特性補正部４４から入力される画像データであるＲ、Ｇ、Ｂ又はＣ、Ｍ、Ｙの原稿濃度値をＣＭＹ及びＤ（濃度）の各フィルタによってシフトするテーブルであり、予め原稿種に応じて設定されて記憶されている。
【００４６】
マトリックス係数 matrixl２は、Ｒ、Ｇ、Ｂ又はＣ、Ｍ、Ｙの原稿濃度をペーパーへの露光量に変換するために３×３のマトリックス演算を行うときに用いる係数であり、このマトリックス係数 matrixl２は、原稿、例えばフィルムの分光分布と写真プリンタ３４で画像露光するペーパーの分光分布から演算によって求めて、原稿種及び感材種の組み合わせに応じて予め記憶されている。
【００４７】
ＬＵＴ４は、ペーパーへの露光量からペーパー上へのプリント濃度に変換するテーブルであり、ペーパーのセンシトメトリーデータをテーブル化して設定している。なお、マトリックス係数 matrixl２及びＬＵＴ４を算出するデータがないときには、適性露光により撮影してチャート画像を記録したフィルム原稿を濃度計等の測定器によって読み取ったＲ、Ｇ、Ｂ又はＣ、Ｍ、Ｙの濃度値と、該フィルム原稿を標準条件で面露光によって焼付けた写真プリントから測定したＣ、Ｍ、Ｙの各色のプリント濃度値を用い、Ｒ、Ｇ、Ｂ又はＣ、Ｍ、Ｙの濃度値が、カラーペーパー上のＣ、Ｍ、Ｙのプリント濃度値に変換されるように演算して設定することができる。
【００４８】
このように、原稿／ペーパー特性補正部４８では、原稿種と感材種に応じてＬＵＴ３、４及びマトリックス係数 matrixl２から選択したデータをパラメータとして、スキャナ／原稿特性補正部４４から出力された画像データを、原稿とペーパーのそれぞれの特性に合わせて補正することにより、感材種に拘らずプリント濃度を一定にできる画像データ（プリント濃度データｆ）として出力する。
【００４９】
原稿／ペーパー特性補正部４８から出力された画像データ（プリント濃度データｆ）は、ペーパー／モニタ特性補正部５０へ入力される。
【００５０】
ペーパー／モニタ特性補正部５０は、モニタ表示用データ生成手段として設けられ、ＬＵＴ５、マトリックス係数 matrixl３及びＬＵＴ６が予め記憶されており、プリント濃度データｆとして入力される画像データをモニタ３０に適切に表示するためのＲＧＢモニタ信号（ＲＧＢモニタデータｇ）に変換する。ここで、変換されるＲＧＢモニタデータｇは、写真プリンタ３４でプリント濃度データｆに基づいてペーパーを露光してプリントを作成したときに得られるプリントの階調及び色調がモニタ３０に表示されたときの階調及び色調の見え（apperance)と一致するように変換される。
【００５１】
ここで必要となるのは、ペーパー上にプリントした画像のＣ、Ｍ、Ｙの各色のプリント濃度と測定値（Ｘ、Ｙ、Ｚ及びＬＡＢなど）を対比するときに、ペーパーの色材及びベースの分光分布、色関数（ｘ、ｙ、ｚ）から演算するか、チャート原稿の画像をモニタ３０に表示したときの輝度とチャート原稿を標準条件で焼付けた写真プリントの濃度を実測することにより、画像データに応じてカラーペーパーに焼付けた画像とモニタ３０に表示したときの画像を対応させることができる。
【００５２】
また、画像データに応じた画像をモニタ３０上に表示するときには、カラーペーパー上の測色値とモニタ３０上の測色値を対応させる必要がある。画像データに応じた画像をモニタ３０上に表示するときには、色再現域、すなわち、色の圧縮、伸張によって所望の色をモニタ３０上に再現できないときがある。これを防止するために、カラーペーパー上の測色値とモニタ３０上の測色値を対応させる必要がある。
【００５３】
このために、カラーペーパー上で再現される色とモニタ３０上で再現させる色の相関関係を計算によって求めるためには、色順応予測色を用いてカラーペーパー上の測色値をモニタ３０上の測色値に対応させ、モニタ３０上で再現できない色については、色差が最小となるモニタ３０の色再現域内の色に対応させる。また、実測によって求めるときには、チャート原稿を標準条件で面露光（アナログ露光）によって焼付けた写真プリントを用い、このチャート原稿プリントとモニタ３０上に表示した画像を比較しながら、両者が同じ色に見えるようにモニタ３０上の色を決定しておく。
【００５４】
また、モニタ３０上の画像の測色値をＲＧＢモニタ信号に対応させる必要がある。これは、γ値、色温度及び蛍光体色度などのモニタ３０の特性から計算によって求めることができる。
【００５５】
上記３点を考慮して、ＬＵＴ５、ＬＵＴ６及びマトリックス係数 matrixl３を予め設定してけば、プリント濃度データｆに基づいた画像のペーパー上でのＣ、Ｍ、Ｙのプリント濃度に対応したＲＧＢモニタデータｇに変換することができる。ＬＵＴ５及びＬＵＴ６は、濃度から輝度への変換及び輝度からＲＧＢモニタ信号への変換を行うようにそれぞれ作成したテーブルとしており、マトリックス係数 matrixl３は、ペーパー上のＣ、Ｍ、Ｙのプリント輝度値をモニタ３０上のＲ、Ｇ、Ｂの輝度値に変換するように決定している。
【００５６】
プリント濃度データｆは、ペーパー／モニタ特性補正部５０でＲＧＢモニタデータｇに変換されて、モニタデータメモリ５２上に表示画像として保存される。このモニタデータメモリ５２上に保存された画像データ（ＲＧＢモニタデータ）に基づいたモニタ３０上の表示画像は、プリント濃度データｆに応じてペーパーにプリントした画像と色調、階調等が同じ画像となる。これにより、スキャナ３２で読み込んだ画像から写真プリンタ３４によって作成するプリントの画像を、モニタ３０上で的確に予測できるようにしている。
【００５７】
ペーパー／モニタ特性補正部５０の出力又はモニタデータメモリ５２上のＲＧＢモニタデータｇは、スキャナ３２から読み込んだ原稿の画像データとしてデータ転送部５４へ送られる。パソコン１２では、このＲＧＢモニタデータｇをスキャナ３２から読み込んだ原稿の画像データとして種々の処理（例えばフォトレタッチングソフト等の種々の画像処理用ソフトウェアによって処理）が可能である。このとき、写真プリンタ３４によってプリント出力したときの仕上がり状態をモニタ３０上で的確に予測しながら処理することができる。
【００５８】
なお、スキャナ３２から読み込んだ原稿の画像データをＲＧＢモニタデータｇとして出力する処理は、画像入力プログラム（以下「入力モジュール」と言う）によって実行される。
【００５９】
パソコン１２に設けている入力モジュールでは、低解像度で、Ｒ、Ｇ、Ｂの何れ１色の画像データのみを読み込むファーストスキャンと、低解像度でカラー画像を読み込むプレスキャン及び、スキャナ３２の能力範囲内の高解像度のカラー画像を読み込むファインスキャンの３モードが設定されている。
【００６０】
この入力モジュールでは、スキャナ種及び原稿種（反射原稿か透過原稿か）の設定を行ってからファーストスキャンを実行する。このファーストスキャンによって変換データメモリ４２に単色、例えばＲ色のみの画像データが保存される。
【００６１】
次にこの変換データメモリ４２上に保存した画像データに応じた読取画像をモニタ３０上に表示し、原稿種の詳細な設定及び原稿から読み込む画像の読み込み領域等を設定する。これによって、入力モジュールでは、ＬＵＴ１、２及びマトリックス係数 matrixl１からデータ変換するためのパラメータが選択される。
【００６２】
ここで、プレスキャンを実行することにより、低解像度のカラー画像を読み込み、スキャナ／原稿特性補正部４４で選択したパラメータに基づいて画像データの補正を行い、濃度データｅとして濃度データメモリ４６上に保存する。
【００６３】
次に、濃度データメモリ４６上に保存している濃度データｅに基づいた画像をモニタ上に表示し、写真プリンタ３４で露光する感材種等の設定を行う。これによって、ＬＵＴ３〜６及びマトリックス係数 matrixl２、３から原稿種、感材種及びモニタ３０に応じたパラメータが選択される。
【００６４】
次にこの選択されたパラメータに基づいて濃度データメモリ４６上に保存している濃度データを原稿／ペーパー特性補正部４８に読み込んでプリント濃度データｆに変換し、さらに、ペーパー／モニタ特性補正部５０でＲＧＢモニタデータｇに変換する。なお、写真プリント等の反射原稿から読み込んだ画像データは、プリント濃度データｆとなっているために、色調整のみが行われる。また、プレスキャンによってスキャナ３２から読み込まれた画像データは、読取画像データ、中間画像データ及び表示画像データ等のテンポラリー画像データとして変換データメモリ４２、濃度データメモリ４６及びモニタデータメモリ５２上にそれぞれ保存される。
【００６５】
すなわち、画像データ変換部４０から出力された画像データは、スキャナ／原稿特性補正部４４に入力される。このスキャナ／原稿特性補正部４４では、StatusＭ又はStatusＡ濃度値に変換した濃度データｅを出力する。これによって、以降の画像処理では、スキャナ種に依存しない画像データを用いた処理を可能にしている。この濃度データｅは、濃度データメモリ４６上に保存されると共に、中間画像としてモニタ３０上に表示される。
【００６６】
濃度データｅは、原稿／ペーパー特性補正部４８に読み込まれ予め設定されているＬＵＴ３、マトリックス係数 matrixl２及びＬＵＴ４によって原稿特性及びこの画像データに応じてペーパーを露光するときのペーパーの特性を考慮して、ペーパー上に適切な階調及び色調となるように補正され、プリント濃度に応じた画像データ（プリント濃度データｆ）として、ペーパー／モニタ特性補正部５０へ出力する。
【００６７】
これにより、原稿／ペーパー特性補正部４８では、原稿の画像を面露光系でプリントしたのと同等の画質でプリントできるようにプリント濃度データを得るようにしている。したがって、従来、ネガフィルムに記録されている画像をデジタル露光によってプリントしたときに得ることができなかったグレード（軟調、中間調、硬調、最硬調、超硬調）、感光度、コントラスト、カブリ、感色性、画質特性（粒状性、解像力、鮮鋭度、ＭＴＦ）等の違いを、デジタル露光によって再現できる。
【００６８】
ペーパー／モニタ特性補正部５０では、予め設定されているＬＵＴ５、マトリックス係数 matrixl３及びＬＵＴ６によってペーパーの分光特性及びモニタ３０の色再現特性を考慮して、プリント濃度データｆに応じた画像をモニタ３０に表示するための画像データ（ＲＧＢモニタデータｇ）に変換する。ペーパー／モニタ特性補正部５０から出力されたＲＧＢモニタデータｇは、表示画像メモリ５２上に保存され、モニタ３０上には、表示画像として表示される。
【００６９】
このように、入力モジュールでは、スキャナ３２から読み込んだ原稿画像に応じた濃度データｅを作成し、さらに、自動的に濃度データｅをＲＧＢモニタデータｇに変換するオートセットアップを行う。
【００７０】
この後、ファインスキャンを指示することにより、スキャナ３２から高解像度（スキャナ３２の最高能力の解像度）で画像データを読み込み、設定されているパラメータに基づいて画像データを補正し、画像データ（ＲＧＢモニタデータｇ）に変換してデータ転送部５４へ出力する。なお、プレスキャンによって読み込んだ画像データをＲＧＢモニタデータｇとしてデータ転送部５４へ出力することもできる。
【００７１】
このように、入力モジュールでは、スキャン時間、データサイズ及び画像処理時間等が異なり、スキャン時間、データサイズ及び画像処理時間が最も短いか小さいファーストスキャンによって画像読み込み領域を設定した後、スキャン時間、データサイズ及び画像処理時間の比較的短いプレスキャンによって読み込んだ画像データに対して種々の処理を施して、最終的なファインスキャンを行うときの種々のパラメータを設定することにより、画像データの読み込みのための操作時間の短縮を図ることができるようにしている。
【００７２】
一方、写真画像処理システム１０には、写真プリンタ３４へ出力される画像データが入力されるデータ取込み部５６が設けられており、このデータ取込み部５６からプリントデータ変換部５８を経て写真プリンタ３４へ出力される。なお、プリントデータ変換部５８は、写真プリンタ３４に設けてあってもよい。
【００７３】
データ取込み部５６では、パソコン１２に設定されている出力処理プログラム（以下「出力モジュール」と言う）に応じて動作し、画像データ（ＲＧＢモニタデータｇ）に応じた画像をモニタ３０上に表示しながら、キーボード２２及びマウス２４を操作して、写真プリンタ３４からプリント出力するときのプリントサイズ、プリント枚数と共に、倍率等のプリント条件を設定すると、プリントするときの画像の自動レイアウトを行うようになっている。
【００７４】
プリントデータ変換部５８では、前記したペーパー／モニタ特性補正部５０での補正と逆の補正を行っている。すなわち、ペーパー／モニタ特性補正部５０では、プリント濃度データｆを、ＲＧＢモニタデータｇに変換して出力しており、データ取込み部５６では、ＲＧＢモニタデータｇを画像データとして処理している。プリンタデータ変換部５８では、ＬＵＴ５、ＬＵＴ６及びマトリックス係数 matrixl３を用いた変換と逆変換を行い、ＲＧＢモニタデータｇからプリント濃度データｆを出力する。
【００７５】
以下に本実施の形態に適用した写真画像処理システム１０の具体的な画像処理操作の一例を、図面を参照しながら詳細に説明する。なお、以下の説明及び説明に用いる表示等は一例を示すものであり、本発明の構成を限定するものではない。
【００７６】
写真画像処理システム１０は、パソコン１２と共にスキャナ３２等の接続機器が立ち上げられ、入力モジュールが起動されると、モニタ３０に入力設定メニューを表示する。
【００７７】
図３には、モニタ３０に表示する入力設定メニュー（ダイヤログボックス）６１の一例を示している。この入力設定メニューでは、スキャナ種及び原稿種の設定を行う。例えばスキャナ種を選択するときには、カーソル６０をスキャナ種設定項目へマウス２４等の操作によって移動させ、マウス２４をクリックして指定（以下「クリック操作」と言う）することにより、ポップアップメニュー（図示省略）が開かれ、予めパソコン１２にスキャナ３２として登録されている機種名が表示され、この表示から画像入力に使用するスキャナ３２を選択することができる。また、画像が記録されている原稿に対しては、対象原稿設定項目６２のクリック操作によって、原稿種がポップアップメニュー形式で表示される。この原稿種の設定は、写真プリント等の反射原稿であるか又はネガフィルム、ポジフィルム等の透過原稿であるかの選択を行う。
【００７８】
スキャナ種及び対象原稿種を選択し実行ボタン６２をクリック操作することにより、選択されたスキャナ種及び原稿種が設定される。なお、スキャナ制御プログラム・パラメータ及び原稿種とペーパー種の組み合わせの許可・禁止の情報と画像処理パラメータ保存しておき、さらに画像処理パラメータ毎に選択可能なスキャナ種、原稿種、ペーパー種を設定して保存しておくことにより、例えばスキャナ種、原稿種を選択したときに、適用可能なペーパー種又は適用不可能なペーパー種の組み合わせを明確にすることができる。また、それぞれのデータを予め指定したファイルに保存することにより、データの変更、更新、削除等のメンテナンスが容易となる。
【００７９】
スキャナ種及び原稿種の設定が終了すると、モニタ３０の表示は、図４に示すメインメニューに切り換わる。このメインメニュー６３には、ファーストスキャンボタン６５、プレスキャンボタン６６及びファインスキャンボタン６７が表示されており、ファーストスキャンボタン６５をクリック操作することにより、選択したスキャナ３２から低解像度で画像の読み込みが行われる。
【００８０】
これによって、スキャナ３２から原稿画像に応じた単色分の画像データを読み込み、画像データ変換部４０でこの画像データをＬＵＴ０に設定されているデータに応じて読み込み、変換データメモリ４２上に保存する。
変換データメモリ４２上に保存された画像データは、メインメニュー６３上の画像表示エリア６８にモノトーンの画像として表示される。このとき、画像表示エリア６８は、スキャナ３２の画像読取領域を全表示し、原稿の画像は、スキャナ３２上での原稿配置位置に応じた位置に表示される。これと共に、画像表示アリア６８には、出力枠６９が表示される。なお、メインメニュー６３には、位置モニタ表示エリア７０及び位置モニタボタン７１が設けられており、位置モニタボタン７１のクリック操作によって、位置モニタ表示エリア７０にスキャナ３２の画像読取領域に対する原稿位置及び出力枠６９の位置が表示される。
【００８１】
画像表示エリア６８に表示されている画像は、枠移動ボタン７２の操作によって出力枠６９に対して画像の表示位置が移動し、倍率設定ボタン７３の操作又はキーボード２２からのキー入力によってによって倍率を設定することにより、画像表示エリア６８に表示されている出力枠６９が拡縮する。この操作によって、画像データとして読み込む画像領域の設定が行われる。
【００８２】
なお、メインメニュー６３では、原稿の画像に対して後述する写真プリンタ３４で画像露光するときの感材種の設定と共に面露光エミュレーションかデジタルモードエミュレーションかの設定、プリント速度重視か画質重視からのプリント設定、出力サイズの設定等の出力設定を行う。これによって、出力枠６９内の画像の倍率と共に、読み込んだ画像データの処理に用いるＬＵＴ１〜６及び各マトリックス係数 matrixl１〜３の選択、すなわち画像データを補正するためのパラメータの設定が行われる。
【００８３】
ネガフィルム等の写真フィルムに記録されている画像に応じて面露光（アナログ露光）したときには、プリント階調は、写真フィルムの特性値とペーパーの特性値から定まる固定階調となり、面露光エミュレーションモードでは、原稿特性とペーパー特性によって定まる固定階調に変換する。また、デジタルイメージモードでは、オートセットアップ演算により原稿に記録されている画像のシーン、すなわち、原稿画像がアンダー露光された画像かオーバー露光された画像であるか、昼に撮影された原稿であるか夜に撮影された画像であるか、等に応じて最適に仕上がるようにプリント階調を計算する。
【００８４】
また、このメインメニュー６３上では、原稿種の詳細な設定を行う。原稿種の設定は、例えば透過原稿であれば、ネガ型（ネガフィルム）であるかポジ型（ポジフィルム）であるかの設定、さらに、原稿の特性を明確にするために、品番まで設定する。この品番の設定は、予め登録されている品番をポップアップメニューによって開いて選択できるようにしている。
【００８５】
これらの種々の設定が終了した後、プレスキャンボタン６６をクリック操作することにより、プレスキャンが実行される。プレスキャンでは、原稿の画像を読み込むと、画像データをＲ、Ｇ、Ｂの面順次に変換して、スキャナ／原稿特性補正部４４に入力する。スキャナ／原稿特性補正部４４では、スキャナ種及び原稿種が設定されていることにより、ＬＵＴ１、ＬＵＴ２及びマトリックス係数 matrixl１からパラメータを選択して画像データのスキャナ補正を行い、濃度データｅとして濃度データメモリ４６上に保存する。
【００８６】
メインメニューの画像表示エリア６８には、濃度データメモリ４６上に保存している濃度データに基づいた画像が中間画像として表示される。
【００８７】
一方、メインメニュー６３には、カラーコントロールを行うためのカラーキーボタン７４、指定色仕上げボタン７５、読取レンジボタン７６、トーンカーブボタン７７等が表示されており、これらを操作により、濃度データｅをプリント濃度データｆ及びＲＧＢモニタデータｇに変換するときのパラメータの設定、変更を行う。
【００８８】
それぞれの設定値を保存ボタン７８のクリック操作によってＨＤＤ１８上のデータファイルに保存することができると共に、読み込みボタン７９によって保存している設定値を読みだすことができる。また、デフォルト設定ボタン８０の操作によって、予め設定されている標準値、すなわち、スキャナ種、原稿種及び感材種に応じてＬＵＴ３〜６及びマトリックス係数 matrixl２、３からパラメータを選択することができ、原稿／ペーパー特性補正部４８及びペーパー／モニタ特性補正部５０でオートセットアップを行う。
【００８９】
カラーキーボタン７４が操作されると、モニタ３０上には、図５に示すカラーキーメニュー８１が表示される。このカラーキーメニュー８１は、面露光系におけるＣ、Ｍ、Ｙの各色フィルタによる色調整（ＣＣフィルタに相当）及び露光量（濃度）補正をエミュレートしたものであり、Ｃ、Ｍ、Ｙ及びＤの比率（％）をキー入力等によって設定できるようにしている。
【００９０】
また、読取レンジ設定ボタン７６が操作されると、モニタ３０には、図６に示す如き読取レンジ設定メニュー８２が表示される。この読取レンジ設定メニュー８２では、原稿上の濃度レンジをプリント時のハイライト／シャドウに割り付けるものであり、原稿濃度をＲ、Ｇ、Ｂの各色のヒストグラム８５Ｒ、８５Ｇ、８５Ｂに表示し、これらのヒストグラム８５Ｒ、８５Ｇ、８５Ｂ上で、ハイライト／シャドウ点を指定するか、濃度値をキー入力するかあるいは、プレスキャンによって画像が表示されているときには表示画像上の点を指定して設定することができる。
【００９１】
カラーキー及び読み取りレンジの設定は、次の画像読取時にプリント濃度信号に露光量、露光時間に反映されるようにするか、スキャナ３２での画像読み込み時の露光量、露光時間を変更するのに使用される。
【００９２】
トーンカーブボタン７７が操作されると、モニタ３０上には、図７に示すトーンカーブ設定メニュー８３が表示される。このトーンカーブ設定メニュー８３では、面露光エミュレーションモード、デジタルイメージモードの何れでも設定でき、Ｙ、Ｍ、Ｃの各色及びＤ（濃度）についての階調変化を選択して設定できる。このトーンカーブ設定は、セットアップモードで設定されるデフォルト値に対して、Ｃ、Ｍ、Ｙの各色毎にカスケードして設定できる。
【００９３】
また、指定色仕上げボタン７５が操作されると、モニタ３０上には、図８に示す指定色仕上げメニュー８４が表示される。この指定色仕上げメニュー８４は、プレスキャンによって入力された画像をモニタ３０上に表示しているときにのみ有効であり、この指定色仕上げメニュー８４には、メインメニュー６３の画像表示エリア６８に表示した画像の任意の点（例えば５×５の２５ドット分）を拡大表示エリア８６に拡大表示すると共に、リファレンスエリア８７にリファレンス画像（グレー画像：リファレンスグレー）を表示する。ここで、拡大表示エリア８６に表示した任意の画素にカーソル６０を合わせてクリック操作することにより、該当する画素の色をリファレンスグレーに一致させると共に、これに合わせて他の画素の色をシフトさせる。リファレンスグレーは、リファレンス変更ボタン８８の操作によって階調変更が可能となっている。これによって、グレーバランスの調整を迅速かつ容易に行うことができるようにしている。
【００９４】
このようにして、中間画像に対して種々の設定が行われると、原稿／ペーパー特性補正部４８及びペーパー／モニタ特性補正部５０のパラメータが設定される。これらの設定に基づいて濃度データメモリ４６上に保存している濃度データｅを、プリント濃度データｆ及びＲＧＢモニタデータｇに変換することができる。ＲＧＢモニタデータｇは、モニタデータメモリ５２上に保存されると共に、モニタ３０上のメインメニューの画像表示エリア６８に表示される。
【００９５】
このようにして、画像表示エリア８６に表示された画像は、原稿とペーパーの特性及びペーパーとモニタ３０の特性を考慮して、写真プリンタ３４でペーパーを露光して得られるプリントと色調及び階調等が一致する。すなわち、プリント濃度データｆによってペーパーにプリントした画像を、ＲＧＢモニタデータによってモニタ３０上に表示される画像から的確にイメージすることができる。
【００９６】
このようにして、プレスキャンによって読み込まれた画像に基づいて、画像データとして読み込むＲＧＢモニタデータｇとして読み込まれる画像データの仕上がりの確認が終了した後、ファインスキャンボタン６７を操作することにより、スキャナ３２から高解像度で原稿画像に応じた画像データを取込み、取り込んだ画像データを、設定した種々のパラメータに応じて補正し、画像データをＲＧＢモニタデータｇとしてデータ変換部５４へ出力する。
【００９７】
このように、低解像度で読み込んだ画像データに対して、種々の設定処理を施し、画像を確認した後に、高解像度で画像データを読み込み、予め設定されている補正条件で補正した後に、モニタデータメモリ５２上に保存することにより、処理条件の設定から確認までを短時間で行うことができる。
【００９８】
一方、入力モジュールによってＲＧＢモニタデータｇとして読み込まれた画像データは、データ変換部５４から写真プリンタ３４へ出力されるか、又は種々のアプリケーションソフトによって処理されて写真プリンタ３４へ出力される。この画像データ（ＲＧＢモニタデータ）から写真プリントを作成するきには、出力出力モジュールを起動する。この出力モジュールは、単独で起動可能であると共に、他のアプリケーションからプリント処理が選択されると起動される。
【００９９】
出力モジュールが起動されると、モニタ３０上には、出力用のメインメニュー９０が表示される。図９（Ａ）には、出力用のメインメニュー９０の一例を示しており、このメインメニュー９０では、出力サイズ、出力方向（写真プリンタ３４での感材の搬送方向に対する画像の向き）、カラー情報、プリント枚数等の種々の設定条件が表示される。
【０１００】
出力モジュールでは、出力サイズを設定するときに、画像データのサイズ及び解像度からプリントするときの実寸サイズを算出し、予め登録されている感材のサイズ（定型サイズ）から実寸サイズの一致するサイズを検索し、このサイズを出力サイズとして表示する。このとき、定型サイズの中に一致するサイズが無ければカスタムサイズとして扱う（フリーサイズ指定）。また、カラー情報は、カラー画像かモノクロ画像（Ｂ／Ｗ）かを表し、プリント枚数はデフォルト値として「１」を設定する。これらの情報は、メインメニュー９０のプリント登録表示エリア９１に表示される。なお、プリント登録表示エリア９１には、同時に、プリント時に画像の周囲に白フチを付けるか否かのフチ情報及び、画像の大きさと設定されているプリントサイズが合わないときに自動的にトリミングを行ったか、手動でトリミングを行ったかのトリミング情報も表示している。
【０１０１】
このメインメニュー９０には、プリント指示の追加用の追加ボタン９２、既に登録されている（プリント登録表示エリア９１に表示されている）プリント指示の変更ボタン９３、削除ボタン９４及びプリント設定ボタン９５、改ページボタン９６等、保存されている設定値を読み込むための読み込みボタン９７、設定値を所定のファイルに保存する保存ボタン９８等が設けられている。
【０１０２】
ここで、追加ボタン９２をクリック操作することにより、モニタ３０上には、図１０に示すトリミング設定用のダイアログボックス１００が表示される。このダイアログボックス１００には、出力枠１０１内に画像データに応じた画像がモノクロ画像として表示される。なお、モノクロ画像として表示することにより処理の迅速化を図るものであり、カラー画像を表示してもよい。
【０１０３】
また、このダイアログボックス１００では、プリントサイズ、色調、白縁、プリント枚数等の設定が可能となっている。これらは、予め保存している設定値を表示している。出力枠１０１は、設定されているプリントサイズに応じた縦横比で、長手方向が一定となるように表示され、画像は設定されている引き伸ばし率に応じて表示される。
【０１０４】
サイズ、色調及び白フチは、それぞれプルダウンメニューによって表示された項目から選択できるようにしている。図１１（Ａ）〜図１１（Ｃ）には、プルダウンメニューの一例を示している。図１１（Ａ）の定型サイズメニュー１０２に示すように、プリントサイズとしては、種々の定型サイズが表示されるようになっている。ここで定型サイズの何れかを選択すると、図１０に示すダイアログボックス１００に、そのサイズの「幅」及び「高さ」の実寸が表示される。
【０１０５】
また、図１０に示すダイアログボックス１００のチェックボタン１０３又はチェックボタン１０４によって画像を縦にプリントするか横にプリントするかを設定できるようにしている。また、登録されている定型サイズ以外は「カスタム（フリー）」を選択することにより、「幅」及び「高さ」の実寸を任意に設定できる。
【０１０６】
図１１（Ｂ）の色調メニュー１０５に示すように、色調として「白黒」（モノクロ：Ｂ／Ｗ）を選択すると、さらに、プルダウンメニュー１０６が表示されて詳細なトーンの選択が可能となっている。これらのトーンの中から選択することにより、選択したトーンに応じたグレーバランス、階調のモノクロ画像をプリントできるようにしている。これによって、カラー画像をモノクロ画像に変換したときの階調の粗さが現れたり、グレーバランスの偏りが生じるなどの仕上がり不良を防止することができる。
【０１０７】
また、図１１（Ｃ）に示すように、白フチのプルダウンメニュー１０７には、フチ幅が表示されるようになっており、表示されたフチ幅から所望の寸法を選択可能にしている。
【０１０８】
図１０に示すダイアログボックス１００には、設定されたプリントサイズ、色調、白フチが表示されると共に、枚数焼きとしてプリント枚数が表示される。枚数焼きは、同じ設定値で何枚プリントするかを設定するものであり、矢印ボタン１０８のクリック操作による数値の増減又は数値のキー入力によって設定する。
【０１０９】
また、トリミング枠１０９内では、トリミング範囲を指定するコントロールボタン１１０及び引き伸ばし率を設定する矢印ボタン１１１を表示している。コントロールボタン１１０の矢印のクリック操作によって、出力枠１０１内に表示している画像を上下、左右に移動させることができる。また、引き伸ばし率は、直接数値を入力してもよく、矢印ボタン１１１によって引き伸ばし率を増減させてもよい。このようにして、手動でトリミングを行い出力枠１０１内に倍率を変化させた画像を表示し、プリントしたい範囲を出力枠１０１に一致させればよい。
【０１１０】
ところで、出力モジュールでは、自動トリミングが可能となっている。この自動トリミングでは、画像データのサイズとプリントサイズが一致すれば全画像範囲をプリントするように設定するが、画像データのサイズとプリントサイズが不一致のときには、出力枠１０１内に画像が収まる範囲で画像データを自動的に拡大又は縮小して、出力枠１０１内の画像中央部をプリントするように設定する。なお、トリミング枠１０９内に表示しているリセットボタン１１２をクリック操作することにより、手動トリミングをキャンセルして自動トリミングを行う。このために、トリミング作業の効率化を図ることができる。
【０１１１】
このように種々の設定を自動又は手動で行うことにより、図１０に示すダイアログボックス１００のプリント登録表示エリア９１には、設定変更に応じて表示変更がなされる。なお、メインメニュー９０のプリント登録表示エリア９１内に表示されているプリント項目を選択して、変更ボタン９３を操作することにより、該当する項目のみの設定変更を上記した追加処理と同様に行うことができる。
【０１１２】
また、一つの画像データに基づいてサイズ、色調、階調、白フチの有無等の条件の異なる複数の画像を指定してプリントすることができるようにしているので、プリント作業の効率化を図ることができる。
【０１１３】
図９（Ａ）に示すメインメニュー９０においてプリント設定ボタン９５をクリック操作することにより、プリント登録表示エリア９１に表示されている全項目に対して共通のプリント設定処理を行う。プリント設定操作が選択されると、図１２に示すダイアログボックス１１３がモニタ３０上に表示される。
【０１１４】
このダイアログボックス１１３では、プリンタ設定、用紙方向、用紙サイズ、解像度等の設定を行う。これと共に、トンボを印字するか否かのトンボ設定、画像名を用紙にプリントするか否かの画像名印刷設定等を行うことができる。
【０１１５】
画像名は、キーボード２２のキー操作によって入力することができ、プリントに画像名を入力することにより、仕上がったプリントに付加価値を持たせることができる。
【０１１６】
トンボの設定は、白フチを選択しているときのみ有効としており、図１３（Ａ）に示すように、白フチが選択されている画像に対しては、白フチの幅を含んだ領域が一つの画像として認識され、この画像の四隅にトンボ１１４がそれぞれプリントされる。このトンボ１１４を目印にしてペーパーを裁断（図１３（Ａ）に破線で示すライン）することにより、所望の幅の白フチが設けられたプリントが得られるようにしている。
【０１１７】
なお、図１３（Ｂ）に示すように、画像をペーパーの周縁部に配置するときには、プリント可能範囲内に実際の画像を配置し、このプリント可能範囲よりペーパーの周縁側に生じる余白部分を白フチの一部として使用するように画像のレイアウトを行い、ペーパー上のプリント可能領域を最大限に使用するようにしている。このとき、トンボ１１４と共にトンボ１１４を変形させたトンボ１１４Ａを、プリント可能領域内にのみに記す。
【０１１８】
このダイアログボックス１１３の表示の設定及び内容の確認が成され設定ボタン１１５をクリック操作すると、出力モジュールでは、自動レイアウト設定を行う。
【０１１９】
この自動レイアウト設定は、登録されたプリント設定に基づいて画像データをプリンタ３４に装填されているサイズのペーパーに収まるように画像のレイアウトする。この自動レイアウト設定では、画像をプリントするペーパーに余白が多くなるなどの無駄が生じないように、必要に応じて写真プリンタ３４に装填されているペーパーのサイズを切り換えて使用するようにレイアウトする。
【０１２０】
例えば、登録されている一つのプリント項目（メインメニュー９０のプリント登録表示エリア９１の中のプリントサイズからプリント枚数までの１ラインの項目）に対して、必要に応じて１枚目のプリントと２枚目のプリントに分けてプリントする。すなわち、図１４に示すように、１枚目のペーパーに３画像分プリントできないときには、必然的に２枚のペーパーにプリントされることになるが、このとき、１枚目及び２枚目のペーパーに他のサイズの画像を分けてレイアウトし、ペーパーに生じる余白を最小に抑える。
【０１２１】
なお、図９（Ｂ）に示すように、改ページボタン９６の操作によってプリント登録表示エリア９１の表示項目の間に改ページマーク１１７が入力される。自動レイアウト設定は、改ページボタン９６のクリック操作によって入力された改ページマーク１１７によってグループ化された登録項目毎にレイアウトする。
【０１２２】
自動レイアウト設定が終了すると、図９（Ａ）に示すメインメニュー９０が表示される。ここで、メインメニュー９０内のプリントボタン１１６をクリック操作することにより、自動レイアウトされたプリント用の画像データを写真プリンタ３４へ出力する。なお、画像データの写真プリンタ３４への出力に先立って自動レイアウト結果をモニタ３０上に表示して、適否等の確認を行うようにしてもよい。
【０１２３】
写真プリンタ３４では、パソコン１２からプリント用の画像データ（プリント濃度データｆ）が入力されると、設定されたプリント条件、レイアウトに応じてペーパーを露光してプリントを作成する。これによって、モニタ３０上に表示した画像と一致した画像が記録されたプリントを得ることができる。
【０１２４】
このように、本実施の形態に適用した写真画像処理システム１０では、原稿に記録されている画像を面露光系によって得られる写真プリントと同等の画質でデジタル露光によってプリントすることができる。また、モニタ３０上に表示する画像を写真プリンタ３４でプリントする画像と略一致させることができるため、モニタ３０上に表示した画像から写真プリンタ３４によって得られるプリントの仕上がりを適切にかつ正確にイメージすることができるため、プリントの仕上がりを予測しながら種々の画像処理を適切に行うことができる。
【０１２５】
なお、前記した如く、本実施の形態は、本発明の一例を示すものであり、本発明の構成及び処理の流れを限定するものではない。
【０１２６】
【発明の効果】
以上説明した如く本発明に係る画像処理方法及び装置は、画像出力系において、指定されるプリントサイズ及び枚数を連続して複数種指定することができ、出力装置側の感光材料のサイズに基づいて、感光材料上のプリントレイアウトを自動的に行い、感光材料を有効利用することができるという優れた効果を有する。
【図面の簡単な説明】
【図１】本発明の実施の一形態に適用した写真画像処理システムの概略構成図である。
【図２】写真画像処理システムを示す機能ブロック図である。
【図３】入力処理を行うときにモニタに表示する設定画面の一例を示す概略図である。
【図４】入力処理を行うときにモニタに表示されるメインメニューの一例を示す概略図である。
【図５】カラーキー設定を行うときの表示の一例を示す概略図である。
【図６】読取レンジ設定を行うときの表示の一例を示す概略図である。
【図７】トーンカーブ設定を行うときの表示の一例を示す概略図である。
【図８】指定色仕上げを行うときの表示の一例を示す概略図である。
【図９】（Ａ）は出力処理を行うときに表示するメインメニューの一例を示す概略図、（Ｂ）は（Ａ）に示すメインメニューに改ページマークを入れたメインメニューの一部を示す概略図である。
【図１０】プリントする画像のトリミング設定を行うときの表示の一例を示す概略図である。
【図１１】（Ａ）はサイズを設定する表示の一例を示す概略図、（Ｂ）は色調を設定する表示の一例を示す概略図、（Ｃ）は白フチ設定をするときの表示の一例を示す概略図である。
【図１２】プリント設定を行うときの表示の一例を示す概略図である。
【図１３】（Ａ）及び（Ｂ）はそれぞれプリント上でのトンボの表示の一例を示す概略図である。
【図１４】写真プリンタによってプリントされた画像の配置の一例を示す概略図である。
【符号の説明】
１０    写真画像処理システム（画像処理装置）
１２    パソコン
１８    ＨＤＤ
２２    キーボード
２４    マウス
３４    写真プリンタ（プリント出力装置）
９０    メインメニュー
１００、１１３    ダイアログボックス
１０２    ポップアップメニュー
１０５    色調メニュー
１０６    プルダウンメニュー
【図１】
0003641041.tif 000002
【図２】
0003641041.tif 000003
【図３】
0003641041.tif 000004
【図４】
0003641041.tif 000005
【図５】
0003641041.tif 000006
【図６】
0003641041.tif 000007
【図７】
0003641041.tif 000008
【図８】
0003641041.tif 000009
【図９】
0003641041.tif 000010
【図１０】
0003641041.tif 000011
【図１１】
0003641041.tif 000012
【図１２】
0003641041.tif 000013
【図１３】
0003641041.tif 000014
【図１４】
0003641041.tif 000015